(57)【要約】【課題】  広帯域に亘って高音質で再生でき且つ外部からの音も十分に聞こえるヘッドセットを提供する。【解決手段】  各々が電気信号に応じて振動する２つの振動子と、当該振動子をそれぞれ備えた２つの振動板と、使用者の頭部への装着時に少なくとも当該振動板の一部を当該頭部の側面から所定距離隔てられた位置に保持する保持部と、を含むヘッドセット。【選択図】図１
2011135542.tif 000002
【特許請求の範囲】
【請求項１】
各々が電気信号に応じて振動する２つの振動子を含むヘッドセットであって、
前記振動子をそれぞれ備えた２つの振動板と、使用者の頭部への装着時に少なくとも前記振動板の一部を当該頭部の側面から所定距離隔てられた位置に保持する保持部と、を含むことを特徴とするヘッドセット。
【請求項２】
前記振動板は、使用者の頭部への装着時における当該使用者の耳穴の真横を覆う位置まで延びていることを特徴とする請求項１に記載のヘッドセット。
【請求項３】
前記振動子は、前記振動板に固定されており、使用者の耳穴の真横から当該使用者の頭部前方へずれた位置に位置することを特徴とする請求項１又は２に記載のヘッドセット。
【請求項４】
前記振動板は、使用者の頭部への装着時に当該頭部の側面に向けられる側の面に前記振動子を固定していることを特徴とする請求項１乃至３のいずれか１に記載のヘッドセット。
【請求項５】
前記振動板は、前記振動子を固定する基底部と、前記基底部の周縁の少なくとも一部に沿って形成された側壁と、を有することを特徴とする請求項１乃至４のいずれか１に記載のヘッドセット。
【請求項６】
前記側壁のうちの前記振動子近傍の側壁の高さが、それ以外の側壁の高さよりも高いことを特徴とする請求項５に記載のヘッドセット。
【請求項７】
前記側壁のうちの前記振動子近傍の側壁の高さが前記振動子の厚みよりも大きいことを特徴とする請求項５又は６に記載のヘッドセット。
【請求項８】
前記保持部は、前記２つの振動板を連結する連結部材であり、
前記連結部材は、使用者の頭部への装着時にその頭部を巻き込む形状を有していることを特徴とする請求項１乃至７のいずれか１に記載のヘッドセット。
【請求項９】
前記振動板は、前記保持部による所定の保持位置を中心として回転自在であることを特徴とする請求項１乃至８のいずれか１に記載のヘッドセット。
【請求項１０】
前記振動板は、前記保持部の所定部位を中心に回転できるように前記保持部に設けられており、
前記振動子は、当該回転の中心からずれた位置に固定されていることを特徴とする請求項１乃至９のいずれか１に記載のヘッドセット。
【請求項１１】
前記振動板の回転位置に応じて前記電気信号の信号レベルを変更する信号供給部を更に含むことを特徴とする請求項９又は１０に記載のヘッドセット。
【請求項１２】
前記保持部に、音漏れ防止部材が取り付けられ、
前記振動板は、前記音漏れ防止部材に対して少なくとも２つの位置の間で移動可能であり、前記２つの位置のうちの１の位置は両者が最も接近した位置であって前記音漏れ防止部材と前記振動板の基底部及び側壁とによって使用者の耳が覆われる位置であり、他の１の位置は両者が最も離れた位置であって前記音漏れ防止部材と前記振動板の基底部及び側壁とによって使用者の耳が覆われない位置であることを特徴とする請求項１乃至１１のいずれか１に記載のヘッドセット。
【請求項１３】
前記振動板に接触している吸音材を更に含むことを特徴とする請求項１乃至１２のいずれか１に記載のヘッドセット。
【請求項１４】
請求項１乃至１３のいずれか１に記載のヘッドセットに用いられる振動子であって、
振動伝達板を備えたフレームと、
可動支持体によって前記フレームの内壁に固定された有底筒体状のヨークと、
前記ヨークの底面に固定されたマグネットと、
一端が前記マグネットの側面の少なくとも一部を取り巻き且つ他端が前記振動伝達板に固定されたコイルと、を含むことを特徴とする振動子。
【請求項１５】
前記マグネットに貼り合わされた錘を更に含むことを特徴とする請求項１４に記載の振動子。
【請求項１６】
前記錘は磁性体であることを特徴とする請求項１５に記載の振動子。
【請求項１７】
前記ヨークの側壁の高さが、前記マグネットの厚さと前記錘の厚さとの和よりも大きいことを特徴とする請求項１６に記載の振動子。
【発明の詳細な説明】
【技術分野】
【０００１】
本発明は、音楽等を聴くためのヘッドセットに関する。
【背景技術】
【０００２】
従来、携帯型音楽プレーヤなどで個人的に音楽を聴くための再生装置として、耳穴に挿入する小型のイヤホンが広く用いられてきた（例えば特許文献１）。イヤホンを用いた場合、耳穴を塞ぐことになるので外部の音が聞き取り難くなり、他人からの呼び掛けや外部からの警報音に気付かないといった問題があった。それゆえ、例えば戸外での使用や集団での作業時に使用する上では支障があった。また、耳穴の中という極めて限定的な空間において得られる音響効果であるので、広い周波数帯域に亘って高音質を確保できないという問題があった。特に低音域においては大きなスピーカと比較して音質が劣っていた。
【０００３】
また、再生装置として耳全体を覆うヘッドホンも広く用いられている（例えば特許文献２）。ヘッドホンを用いた場合、ある程度の音響空間を確保できるので、イヤホンに比較して広い周波数帯域に亘って高音質を実現できる。しかしながら、ヘッドホンは耳全体を覆う構造であるので、外部からの音が遮断され、警報音等に気付かないという問題がある。
【０００４】
また、骨伝導方式のヘッドセットも製品化されている（例えば特許文献３）。骨伝導方式ヘッドセットを用いた場合、理論的に耳を塞がずに音を伝達できるが、音の伝達媒体が気体（空気）ではなく、骨という固体であるので、伝達路の周波数特性が平坦ではなく、広帯域に亘って高音質で再生するのは困難である。また、骨伝導方式ヘッドセットを用いた場合、固体を振動させるために、気体を振動させる構造（イヤホン等）と比較してより多くのエネルギーが必要とされる。それゆえ、高容量の電池をヘッドセットに搭載する必要があり、ヘッドセットの小型化が困難であった。
【先行技術文献】
【特許文献】
【０００５】
【特許文献１】特開２００９−２１２９１８号公報
【特許文献２】特開２００９−２８４１６９号公報
【特許文献３】特開２００９−１１１８２０号公報
【発明の概要】
【発明が解決しようとする課題】
【０００６】
近年、電子回路や部品の小型化が進み、小型の音楽再生装置や音楽再生機能を備えた携帯型電話が製品化されており、これらを手軽に持ち運び、時間や場所に囚われずに音楽を高音質で楽しみたいという要望が高まっている。
【０００７】
しかしながら、上述したように、上記の再生装置を用いた場合には、広帯域に亘って高音質で再生ができず、また、外部からの音が十分に聞こえないという問題があった。
【０００８】
本発明は上記した如き問題点に鑑みてなされたものであって、広帯域に亘って高音質で再生でき且つ外部からの音も十分に聞こえるヘッドセットを提供することを目的とする。
【課題を解決するための手段】
【０００９】
本発明によるヘッドセットは、各々が電気信号に応じて振動する２つの振動子を含むヘッドセットであって、前記振動子をそれぞれ備えた２つの振動板と、使用者の頭部への装着時に少なくとも前記振動板の一部を当該頭部の側面から所定距離隔てられた位置に保持する保持部と、を含むことを特徴とする。
【００１０】
また、振動子は頭部に接触しないように振動板に設けられる。
【発明の効果】
【００１１】
本発明によるヘッドセットによれば、広帯域に亘って高音質で再生でき且つ外部からの音も十分に聞くことができる。
【図面の簡単な説明】
【００１２】
【図１】第１の実施例であるヘッドセットを表す図である。
【図２】図１のヘッドセットの制御部の構成を表すブロック図である。
【図３】（ａ）は、図１のヘッドセットを頭部に装着したときの右耳周辺の図である。（ｂ１）は、図1のヘッドセットの線ｂ１−ｂ１に沿った断面を表す断面図である。（ｂ２）は、図1のヘッドセットの線ｂ２−ｂ２に沿った断面を表す断面図である。（ｃ）は、頭部に向ける側から見たときの図１のヘッドセットの右側の振動子、振動板及び連結部を表す斜視図である。
【図４】（ａ）は、別の振動板を有するヘッドセットを頭部に装着したときの右耳周辺の図である。（ｂ）は、頭部に向ける側から見たときの（ａ）のヘッドセットの右側の振動子、振動板及び連結部を表す斜視図である。（ｃ）は、振動子の位置を変えるスライド機構を（ａ）の振動板に更に設けたときの斜視図である。
【図５】（ａ）及び(ｂ)は、別の連結部を有するヘッドセットを頭部に装着したときの右耳周辺の断面を表す断面図である。
【図６】（ａ）は、吸音材を備えた振動板の断面を表す断面図である。（ｂ）は、（ａ）の分解斜視図である。
【図７】（ａ）は、第２の実施例であるヘッドセットにおける開状態時の図である。（ｂ）は、（ａ）のヘッドセットにおける閉状態時の図である。
【図８】（ａ）は、図７のヘッドセットを頭部に装着したときの開状態時の右耳周辺の図である。（ｂ）は、図７のヘッドセットにおける閉状態時の図である。
【図９】は、第３の実施例であるヘッドセットを表す図である。
【図１０】（ａ）は、図９のヘッドセットを頭部に装着したときの開状態時の右耳周辺の図である。（ｂ）は、図９のヘッドセットにおける閉状態時の図である。
【図１１】（ａ）は、図９のヘッドセットの開状態時における音量制御の説明図である。（ｂ）は、閉状態時における音量制御の説明図である。
【図１２】（ａ）は、図９のヘッドセットの開状態時における別の音量制御の説明図である。（ｂ）は、閉状態時における別の音量制御の説明図である。
【図１３】（ａ１）は、第４の実施例であるヘッドセットにおける開状態時の図である。（ａ２）はその斜視図である。（ｂ１）は、（ａ１）のヘッドセットにおける閉状態時の図である。（ｂ２）はその斜視図である。
【図１４】（ａ）は、第５の実施例であるヘッドセットを頭部正面側から見た図である。（ｂ）は、第５の実施例である別のヘッドセットを頭部上側から見た図である。
【図１５】第６の実施例であるヘッドセットを表す図である。
【図１６】ヘッドセットに含まれる振動子の断面を表す断面図である。
【図１７】図１６の振動子の各部位を表す断面図である。
【発明を実施するための形態】
【００１３】
以下、本発明に係る実施例について添付の図面を参照しつつ詳細に説明する。
【００１４】
＜第１の実施例＞
図１は本実施例であるヘッドセット１を表す図である。ヘッドセット１は、振動子１００Ｒ及び１００Ｌと、振動板２００Ｒ及び２００Ｌと、連結部３００と、制御部４００Ｒ及び４００Ｌと、を含む。
【００１５】
振動子１００Ｒは、外部からの例えば音楽を表す電気信号に応じて機械的に振動する装置である。振動子１００Ｒの構成については後述する（図１６及び図１７）。右側の振動子１００Ｒは、右側の振動板２００Ｒの内面に例えば接着剤によって固定されている。左側の振動子１００Ｌも振動子１００Ｒと同様の構成であり、左側の振動板２００Ｌの内面に固定されている。
【００１６】
振動板２００Ｒは、振動子１００Ｒの振動を空気振動によって右側の耳の耳穴に伝える等の役割を担う例えばプラスチックなどの材料からなる板である。振動板２００Ｒの形状については後述する（図３）。振動板２００Ｒは、その外面が連結部３００の一端に固定されている。振動子１００Ｌの振動を空気振動によって左側の耳の耳穴に伝える等の役割を担う振動板２００Ｌも振動板２００Ｒと同様の構成である。
【００１７】
連結部３００は、右側の振動板２００Ｒと左側の振動板２００Ｌとを互いに連結する例えばプラスチックなどの材料からなるＣ字又はＵ字状の細長い部材である。連結部３００は、その一端に振動板２００Ｒを固定し、その他端に振動板２００Ｌを固定して、ヘッドセット１を使用者が頭部に装着したときに当該一端から他端に掛けて後頭部を巻き込むような形状を有している。また、ヘッドセット１の装着時には、連結部３００のうちの、右側の振動板２００Ｒ近傍の湾曲部３００ａＲと左側の振動板２００Ｌ近傍の湾曲部３００ａＬとをそれぞれ右側及び左側の耳に掛ける。このように、連結部３００は、振動板２００Ｒ及び２００Ｌをそれぞれ頭部に保持する役割を担うので、保持部と称することもできる。
【００１８】
制御部４００Ｒは、右側の振動子１００Ｒに例えば音楽を表す電気信号を供給するものであり、例えばプラスチック等の材料で覆われて連結部３００に取り付けられている。
【００１９】
図２は、制御部４００Ｒの構成を表すブロック図である。制御部４００Ｒは、電源部４１０と、記憶部４２０と、信号供給部４３０と、を含む。
【００２０】
電源部４１０は、信号供給部４３０へ電力を供給する例えば小型の電池等の電源である。
【００２１】
記憶部４２０は、例えばＭＰ３形式による音楽データ等のデータを記憶する例えばハードディスク等の記憶媒体である。
【００２２】
信号供給部４３０は、音楽を表す電気信号を振動子１００Ｒに供給するものである。信号供給部４３０は、データ取得部４３１と、信号生成部４３２と、信号増幅部４３３と、を含む。信号供給部４３０は、例えば半導体チップによって構成される。
【００２３】
データ取得部４３１は、例えばヘッドセット１の外部にある再生装置２０（図１）からブルートゥースなどの無線信号２２（図１）により音楽データを取得する。データ取得部４３１は、無線信号２２に代えてオーディオケーブル２４（図１）を介して音楽データを取得しても良い。また、データ取得部４３１は、記憶部４２０に予め記憶されている音楽データを取得しても良い。
【００２４】
信号生成部４３２は、データ取得部４３１によって取得された音楽データに基づいて音楽を表す電気信号を生成する。
【００２５】
増幅部４３３は、信号生成部４３２によって生成された電気信号を増幅するいわゆるアンプである。増幅部４３３は当該増幅した電気信号を、連結部３００内に設けられた例えば銅などの金属配線５００Ｒ１及び５００Ｒ２を介して振動子１００Ｒに供給する。
【００２６】
左側の振動子１００Ｌへ電気信号を供給するための制御部４００Ｌも、制御部４００Ｒと同様の構成である。なお、電源部４１０及び記憶部４２０については、左右共通で用いても良い。
【００２７】
図３（ａ）は、ヘッドセット１を頭部に装着したときの右耳９０Ｒ周辺の図である。以下、矢印９０Ｆの方向を頭部前方、矢印９０Ｂの方向を頭部後方という。ヘッドセット１は、その連結部３００の右の湾曲部３００ａＲを右耳９０Ｒに、左の湾曲部３００ａＲ（図示せず）を左耳（図示せず）に掛けることによって頭部に装着される。ヘッドセット１を頭部に装着したときには、振動子１００Ｒは、耳穴９１Ｒの真横ではなく、耳穴９１Ｒから頭部前方にずれた位置に位置する。振動板２００Ｒは、振動子１００Ｒを固定している部分から耳穴９１Ｒの方向すなわち頭部後方に延びるように成形されている。換言すれば、振動板２００Ｒは、振動子１００Ｒを固定している位置から離れる方向に伸びている。また、振動板２００Ｒは、耳９０Ｒの全体を覆わずに、その一部が耳穴９１Ｒの真横を耳穴９１Ｒから一定の距離を置いて覆うように成形されている。
【００２８】
なお、連結部３００のうちの湾曲部３００ａＲから振動板に至る部分の長さは、図３(ａ)に示されているよりも長くても短くても良い。当該部分が長い場合には、振動子１００Ｒが頭部の前方斜め下に位置する。かかる場合に、振動子１００Ｒと耳穴９１Ｒとの位置関係を調整できるように、連結部３００の軸３０２Ｒを中心として、振動板２００Ｒが矢印８０に示される方向に回転自在な構成としても良い。
【００２９】
図３（ｂ１）は、図３（ａ）におけるヘッドセット１の線ｂ１−ｂ１に沿った断面を表す断面図である。振動板２００Ｒは、基底部２００ａＲ及び側壁２００ｂＲからなる。以下、基底部２００ａＲの両面のうち、側壁２００ｂＲが形成されている側を内面、内面の反対の面を外面と称する。また、以下、側壁２００ｂＲのうちの、頭部後方側の側壁を側壁２００ｂＲ１（図３(ｂ２)）、頭部前方側の側壁を側壁２００ｂＲ２と称する。図３（ｂ１）に示されるように、振動子１００Ｒは、振動板２００Ｒの内面に固定されている。振動板２００Ｒの外面には連結部３００の端部３０１Ｒが接続されている。側壁２００ｂＲ２は振動子１００Ｒの厚さよりも高く形成されており、ヘッドセット１を頭部に装着したときには側壁２００ｂＲが頭部側面９２Ｒに接するものの、振動子１００Ｒは頭部側面９２に接触しない。
【００３０】
図３（ｂ２）は、図３（ａ）におけるヘッドセット１の線ｂ２−ｂ２に沿った断面を表す断面図である。図３（ｂ２）に示されるように、基底部２００ａＲ及び側壁２００ｂＲ１は耳９０Ｒ及び耳穴９１Ｒに接触しておらず、振動板２００Ｒと耳９０Ｒ及び耳穴９１Ｒとの間には開かれた空間が形成されている。
【００３１】
図３（ｃ）は、頭部側面９２Ｒ（図３（ａ）及び（ｂ１））に向ける側から見たときの振動子１００Ｒ、振動板２００Ｒ及び連結部３００を表す斜視図である。振動子１００Ｒの一方の面は例えば接着剤により振動板２００Ｒの内面に固定されている。振動子１００Ｒの他方の面は露出しており外部から視認できる。振動板２００Ｒは、１つの軸（例えば軸ｂ３−ｂ３）方向の幅ｈ２が、この軸と例えば直角等の角度で交差する軸（例えば軸ｂ１−ｂ１やｂ２−ｂ２）方向の幅ｈ１よりも長くなるように成形されている。振動板２００Ｒの形状は、図３（ｃ）に示されるように、幅ｈ１の一部（例えば軸ｂ１−ｂ１の周辺）が、他の部分（例えば軸ｂ２−ｂ２の周辺）の幅よりも大きい。なお、振動板２００Ｒは、ヘッドセット１の装着時に振動板２００Ｒの一部が耳穴９１Ｒの真横の少なくとも一部を覆い且つ耳９０Ｒの全体を覆わない形状であれば、例えば円形、楕円形、長方形その他の多角形、又はこれらを適宜変形した形状でも良い。また、振動板は必ずしも平板形状でなくとも良く、例えば内面側に向かって湾曲した形状でも良い。なお、図３（ｃ）における振動子１００Ｒの露出側を例えば振動板２００Ｒと同じ材料で覆っても良い。
【００３２】
側壁２００ｂＲ１は、側壁２００ｂＲ２よりも低い。かかる構成により、側壁２００ｂＲ２が頭部側面９２Ｒ（図３（ａ）及び（ｂ１））に接した場合でも、側壁２００ｂＲ１は耳９０Ｒ及び耳穴９１Ｒには接触しない。その結果、振動板２００Ｒの基底部２００ａＲと耳９０Ｒ及び耳穴９１Ｒとの間には開かれた空間が形成される。頭部側面９２Ｒへの接触感等を考慮して、側壁２００ｂＲ２の厚さは図３（ｃ）に示しているよりも厚く又は薄く形成しても良く、また、側壁２００ｂＲ２の頭部側面９２Ｒに接する部分に丸みを持たせるようにしても良い。なお、側壁２００ｂＲ１及び２０１Ｒ２は必ずしも基底部２００ａＲと同じ材料である必要はない。例えば厚みのあるプラスチックなどの遮音性のある材料で基底部２００ａＲの周縁を囲むことによって側壁２００ｂＲを形成しても良い。
【００３３】
ヘッドセット１の動作について図１〜図３を参照しつつ以下に説明する。先ず、使用者がヘッドセット１を頭部に装着する。その後、再生装置２０の再生ボタン（図示せず）を押して音楽を再生する。ヘッドセット１のデータ取得部４３１は、当該再生に係る音楽データを再生装置２０から例えばケーブル２４を介して取得する。信号生成部４３２は、データ取得部４３１によって取得された音楽データに基づいて音楽を表す電気信号を生成する。増幅部４３３は、信号生成部４３２によって生成された電気信号を増幅し、これを連結部３００内に設けられた金属配線５００Ｒ１及び５００Ｒ２を介して振動子１００Ｒに供給し、金属配線５００Ｌ１及び５００Ｌ２を介して振動子１００Ｌに供給する。
【００３４】
振動子１００Ｒ及び１００Ｌは、増幅部４３３からの電気信号に応じて振動する。その振動によって、振動子１００Ｒを固定している振動板２００Ｒ、及び振動子１００Ｒを固定している振動板２００Ｌが振動する。これらの振動は、振動板２００Ｒと右耳９０Ｒとの間の空気を媒体として右耳９０Ｒに到達し、また、振動板２００Ｌと左耳（図示せず）との間の空気を媒体として左耳に到達する。
【００３５】
ヘッドセット１を上記した構成とすることにより、以下のような効果が得られる。
【００３６】
第１に、振動板２００Ｒ及び２００Ｌが右耳９０Ｒ及び左耳（図示せず）の全体を覆っていないので、ヘッドセットの使用者は、外部からの例えば警報音や他人からの呼び掛け等の音や声も聞くことができ、戸外での使用や集団での作業時にも問題なく使用できる。
【００３７】
第２に、振動板２００Ｒと右耳９０Ｒと、及び振動板２００Ｌと左耳（図示せず）とはそれぞれ互いに完全接触しておらず（すなわち使用者の頭部への装着時に少なくとも振動板の一部が当該頭部の側面から所定距離隔てられた位置に保持されている）、振動板２００Ｒと右耳９０Ｒとの間及び振動板２００Ｌと左耳との間には開かれた空間が形成されている。それによって、イヤホンやヘッドホンを用いたときのこもったような音ではなく、広い空間で聞いているような響きのある音を再現することができる。また、ヘッドセット１によれば、かかる開かれた空間を形成できるので、イヤホンを用いた場合に音質が特に低下してしまう低周波数の音についても高品質で再現できる。それによって、低周波から高周波までの広帯域に亘って高音質で再生できる。
【００３８】
第３に、振動子１００Ｒ及び１００Ｌを右側の頭部側面９２Ｒ及び左側の頭部側面（図示せず）に接触させないので、振動子の振動による不快感を使用者に与えないという効果も奏する。また、振動子１００Ｒ及び１００Ｌを右側の頭部側面９２Ｒ及び左側の頭部側面に接触させず、空気を媒体として振動を右耳９０Ｒ及び左耳（図示せず）に伝達するので、骨伝導方式のヘッドセットように肌や骨という周波数特性が平坦でない固体を媒体として伝達する場合に比較して、より広い帯域に亘って高品質な音を再現できる。更に、ヘッドセット１によれば、骨等の固体を振動させる必要がないので、骨伝導方式のヘッドセットに比較して低消費電力化を実現できる。また、それによって電池を小型化できるので、持ち運びし易く場所を選ばずに音楽を聴くことができるヘッドセット１を提供することができる。
【００３９】
以下に、変形例を示す。図４（ａ）は、上述の振動板とは異なる振動板２０２Ｒを有するヘッドセット１を頭部に装着したときの右耳９０Ｒ周辺の図である。図４（ｂ）は、頭部に向ける側から見たときの図４（ａ）のヘッドセット１の振動子１００Ｒ、振動板２０２Ｒ及び連結部３００を表す斜視図である。
【００４０】
振動板２０２Ｒは、振動子１００Ｒが固定されている位置から離れる方向に広がっており、右耳９０Ｒを覆う領域が図３の振動板２００Ｒに比較して大きくなっている。かかる形状とすることにより、外部からの雑音をより低減することができ、集中して音楽を聴くことができる。また、外部からの雑音が減少するので、より低い音量で音楽を聴くことができ、その結果、外部への音漏れを減少できると共に、消費電力も低減できる。
【００４１】
図４（ｃ）は、振動板２０２Ｒ上における振動子１００Ｒの位置を変えるスライド機構２１０Ｒを図４（ａ）の振動板２０２Ｒに更に設けたときの斜視図である。
【００４２】
スライド機構２１０Ｒは、移動板２１１Ｒとレール２１２Ｒとからなる。移動板２１１Ｒの片面には振動子１００Ｒが固定されている。振動子１００Ｒ及び移動板２１１Ｒは、実線で表される位置と点線で表される位置との間でレール２１２Ｒに沿って移動（スライド）可能である。例えば、レール２１２Ｒは振動板２０２Ｒ上に形成された1対の溝形状からなり、移動板２１１Ｒのレール２１２Ｒ側の面にはレール２１２Ｒの溝に沿った２つの細長い突起（図示せず）が形成されており、移動板２１１Ｒの当該突起がレール２１２Ｒの当該溝に嵌め込まれることによって、スライド可能となっている。
【００４３】
振動子１００Ｒ及び移動板２１１Ｒは、少なくとも実線で表される位置及び点線で表される位置で固定でき、これら両位置の間の所定位置で固定できるようにしても良い。例えば移動板２１１Ｒを、振動子１００Ｒが固定されている側の面から振動板２０２Ｒに向かって押さえつける機構（図示せず）をこれら両位置の各々に設けて、当該機構により振動子１００Ｒ及び移動板２１１Ｒの位置を固定する。
【００４４】
かかる構成とすることにより、耳穴９１Ｒ（図４（ａ））と振動子１００Ｒとの間の相対的な位置関係を変更することができる。例えば外部への音漏れを小さくしたい場合には、振動子１００Ｒ及び移動板２１１Ｒを矢印８６の方向にスライドさせ、耳穴９１Ｒと振動子１００Ｒとを近付ける（点線に示される位置に固定する）。この場合、低い音量で音楽を聴くことができるので、外部への音漏れを低減できる。
【００４５】
図５（ａ）及び図５(ｂ)は、上述の連結部とは異なる連結部３００を有するヘッドセット１を頭部に装着したときの右耳９０Ｒ周辺の断面を表す断面図である。図５（ａ）に示されるように、連結部３００の湾曲部３００ａＲが、ヘッドセット１の装着時における頭部側面９２Ｒから離れる方向に所定の角度で折れ曲がっている構造であっても良い。かかる構造によれば振動板２００Ｒが耳９０Ｒ及び耳穴９１Ｒに接触しない。また、図５（ｂ）に示されるように、必要に応じて振動板２００Ｒに側壁を設けなくても良い。
【００４６】
図６（ａ）は、吸音材６１０Ｒを備えた振動板２００Ｒの断面を表す断面図である。図６（ｂ）は、図６（ａ）の分解斜視図である。吸音材６１０Ｒは、振動板２００Ｒの基底部２００ａＲの外面に取り付けられており、外部ケース６２０Ｒによって覆われている。外部ケース６２０Ｒは、リング形状のラバー（クッション）６００Ｒを介して振動板２００Ｒに、例えば図６（ｂ）に点線で示される位置でネジ止めされている。一般に低周波数の音よりも高周波数の音の方が漏れ易いので、高周波数の音を減衰させる例えばウレタンなどの熱硬化性発泡体やグラウウールなどの熱可塑性発泡体を吸音材６１０Ｒとして用いるのが好ましい。
【００４７】
＜第２の実施例＞
図７（ａ）は、可動式の振動板２０４Ｒ及び２０４Ｌを有するヘッドセット２における開状態時の図である。図７（ｂ）は、図７（ａ）のヘッドセット２における閉状態時の図である。以下、第１の実施例と異なる部分について主に説明する。
【００４８】
振動板２０４Ｒは、回転軸３０２Ｒを中心として矢印８１及び８２に示される方向に回転自在に、連結部３００の一端に取り付けられている。同様に、振動板２０４Ｌは、回転軸３０２Ｌを中心として矢印８１及び８２に示される方向に回転自在に、連結部３００の他端に取り付けられている。振動板２０４Ｒの基底部２００ａＲの周縁部には、その一部を除いて側壁２００ｂＲが形成されている。振動板２０４Ｌの基底部２００ａＬの周縁部にも同様の側壁２００ｂＬが形成されている。側壁２００ｂＲ及び２００ｂＬは、第１の実施例と同様に頭部側面（図示せず）に向けられる側に形成されている。
【００４９】
ヘッドセット２においては、振動板２０４Ｒ及び２０４Ｌを、少なくとも開状態の位置（図７（ａ））と閉状態の位置（図７(ｂ)）に機械的に固定できる。また、振動板２０４Ｒの開閉位置に応じて抵抗値が変化する可変抵抗３０４Ｒを回転軸３０２Ｒの位置に設け、信号増幅部４３３（図２に示される）からの電気信号が金属配線５００Ｒ１、５００Ｒ２及び可変抵抗３０４Ｒを介して、振動子１００Ｒに供給されるようにしても良い。閉状態時における可変抵抗３０４Ｒの抵抗値は、開状態時における抵抗値に比較して大きい。かかる構成とすることで、閉状態時に振動子１００Ｒに供給される電気信号の信号レベルは、開状態時に振動子１００Ｒに供給される電気信号の信号レベルよりも小さくなる。その結果、閉状態時における音量は開状態時における音量よりも小さくなる。
【００５０】
また、振動板２０４Ｒ及び２０４Ｌを、開状態と閉状態との間で例えば等間隔に５段階など複数の位置に固定できる構成としても良い。この場合には、可変抵抗３０４Ｒの抵抗値は、開状態から閉状態に近づくにしたがって段階的に大きくなるように予め設定する。かかる構成とすることで、振動子１００Ｒに供給される電気信号の信号レベルは、開状態から閉状態に近づくにしたがって段階的に小さくなる。その結果、音量は開状態から閉状態に近づくにしたがって段階的に小さくなる。左側の振動子１００Ｌの音量を変更するための可変抵抗３０４Ｌも同様の構成である。
【００５１】
図８（ａ）は、図７のヘッドセット２を頭部に装着したときの開状態時の右耳９０Ｒ周辺の図である。図８（ｂ）は、図７のヘッドセット２における閉状態時の図である。
【００５２】
開状態時には図８（ａ）に示されるように、振動板２０４Ｒの縁に形成されたツメ部２００ｃを連結部３００の端部に形成された突起部３００ｃ１に引っ掛けることによって振動板２０４Ｒを固定する。閉状態時には図８（ｂ）に示されるように、ツメ部２００ｃを連結部３００の端部に形成された突起部３００ｃ２に引っ掛けることによって振動板２０４Ｒを固定する。
【００５３】
図８（ａ）に示されるように開状態時においては、振動子１００Ｒは右の耳穴９１Ｒの斜め下に位置する。また、振動板２０４Ｒのうちの側壁２００ｂＲが形成されていない側の部分が耳穴９１Ｒを覆っている。振動板２０４Ｒは耳穴９１Ｒから一定距離隔てられた位置にある。また、閉状態に比較して音量が大きくなる。
【００５４】
かかる構成により、開状態時においては、振動板２０４Ｒが耳穴９１Ｒの真横を覆うので音楽を高音質で聴くことができると共に、耳穴９１Ｒの周辺には側壁２００ｂＲが存在しないので外部からの音も十分に聞くことができる。
【００５５】
図８（ｂ）に示されるように閉状態時においては、振動子１００Ｒは耳穴９１Ｒの真横に位置する。また、振動板２０４Ｒのうちの側壁２００ｂＲが形成されている側の部分が、開状態時に比較して耳９０Ｒの広い範囲を覆っている。振動子１００Ｒ及び振動板２０４Ｒは耳穴９１Ｒから一定距離隔てられた位置にある。また、開状態に比較して音量が小さくなる。
【００５６】
かかる構成により、閉状態時においては、振動子１００Ｒが耳穴９１Ｒの真横に位置するので、開状態時に比較して小さな音量でも音楽を高音質で聴くことができ、また、耳穴９１Ｒの周辺には側壁２００ｂＲが存在するので外部への音漏れも低減できる。左側の振動板２０４Ｌの開閉状態時もこれらと同様の位置であり、同様の効果が得られる。
【００５７】
なお、突起部３００ｃ１と突起部３００ｃ２との間に少なくとも１つの他の突起部（図示せず）を更に形成して、振動板２０４Ｒを開状態と閉状態との間の位置で固定できる構成としても良い。この場合には、段階的に位置及び音量を調整できる。
【００５８】
＜第３の実施例＞
図９は、本実施例であるヘッドセット３を表す図である。以下、第１及び第２の実施例と異なる部分について主に説明する。
【００５９】
連結部３００の一方の端部にはリング形状の環状部３１０Ｒが設けられている。環状部３１０Ｒのリング内には円形状の振動板２０６Ｒが、その円形状の中心を軸として矢印８３及び８４に示される方向に回転自在に嵌め込まれている。振動板２０６Ｒの内面すなわち装着時に頭部に向けられる側には振動子１００Ｒが固定されている。詳細には、振動子１００Ｒは、振動板２０６Ｒの円形状の中心からずれた位置に固定されており、振動板２０６Ｒの回転によってその位置が移動する。使用者は振動板２０６Ｒを指で触れて回転させることができる。なお、振動板２０６Ｒの外面には、振動板２０６Ｒを回転させ易いように、指を掛ける溝等の構造（図示せず）が形成されていても良い。環状部３１０Ｒは、ヘッドセット３の装着時に頭部側面９２Ｒに接触する湾曲部３００ａＲよりも外側すなわち頭部側面９２Ｒから離れる方向に位置するように連結部３００の端部に固定されている。それによって、環状部３１０Ｒはヘッドセット３の装着時には頭部側面９２Ｒに接触しない。
【００６０】
連結部３００の内部には、環状部３１０Ｒに設けられた端子５１０Ｒ１及び５１０Ｒ２（図１１）と、制御部４００Ｒ内に収容されている信号供給部４３０（図２）と、をそれぞれ接続する金属配線５００Ｒ１及び５００Ｒ２が設けられている。連結部３００の他方の端部にも同様に環状部３１０Ｌ及び振動板２０６Ｌが設けられ、連結部３００の内部には金属配線５００Ｌ１及び５００Ｌ２が設けられている。
【００６１】
図１０（ａ）は、図９のヘッドセット３を頭部に装着したときの第１状態時の右耳９０Ｒ周辺の図である。図１０（ｂ）は、図９のヘッドセット３における第２状態時の図である。第１状態時においては、振動子１００Ｒは、耳穴９１Ｒから頭部前方にずれた位置に位置する。また、円形状の振動板２０６Ｒは、耳９０Ｒの全体を覆わずに、その一部が耳穴９１Ｒの真横を覆っている。振動板２０６Ｒは、耳穴９１Ｒから一定距離隔てられている。振動板２０６Ｒを矢印８３の方向に回転させると、図１０（ｂ）に示される第２状態となる。第２状態時においては、振動子１００Ｒは、耳穴９１Ｒの真横に位置する。振動子１００Ｒは、耳穴９１Ｒから一位距離隔てられている。また、円形状の振動板２０６Ｒは、第２状態時においても右耳９０Ｒの全体を覆わずに、その一部が耳穴９１Ｒの真横を覆っている。
【００６２】
図１１（ａ）は、図９のヘッドセット３の第１状態時における音量制御の説明図である。図１１（ｂ）は、第２状態時における音量制御の説明図である。
【００６３】
環状部３１０Ｒの内部には、端子５１０Ｒ１と端子５３０Ｒ１とが設けられている。端子５１０Ｒ１と端子５３０Ｒ１とは、抵抗３２０Ｒ１を介して金属配線５２０Ｒ１により互いに接続されている。また、環状部３１０Ｒの内部には、端子５１０Ｒ２が端子５１０Ｒ１と隣り合うように、また、端子５３０Ｒ２が端子５３０Ｒ１と隣り合うように設けられている。端子５１０Ｒ２と端子５３０Ｒ２とは、抵抗３２０Ｒ２を介して金属配線５２０Ｒ２により互いに接続されている。
【００６４】
端子５１０Ｒ１は金属配線５００Ｒ１を介して、端子５１０Ｒ２は金属配線５００Ｒ２を介して、信号供給部４３０（図２に示される）の信号増幅部４３３にそれぞれ接続されている。
【００６５】
振動子１００Ｒには、接触端子１１０Ｒ１及び１１０Ｒ２が接続されている。図１１（ａ）に示されるように第１状態時には、接触端子１１０Ｒ１が端子５１０Ｒ１に、接触端子１１０Ｒ２が端子５１０Ｒ２に、それぞれ接触する。すなわち、第１状態時には、抵抗３２０Ｒ１及び３２０Ｒ２によって減衰されない電気信号が信号増幅部４３３から振動子１００Ｒへ供給される。それによって、第１状態時には、音量が比較的大きくなる。
【００６６】
図１１（ｂ）に示されるように第２状態時には、接触端子１１０Ｒ１が端子５３０Ｒ１に、接触端子１１０Ｒ２が端子５３０Ｒ２に、それぞれ接触する。すなわち、第２状態時には、抵抗３２０Ｒ１及び３２０Ｒ２によって減衰された電気信号が信号増幅部４３３から振動子１００Ｒへ供給される。それによって、第２状態時には、音量が比較的小さくなる。
【００６７】
図１２（ａ）は、図９のヘッドセット３の第１状態時における別の音量制御の説明図である。図１２（ｂ）は、第２状態時における別の音量制御の説明図である。
【００６８】
振動子１００Ｒは、容量Ｃ１を介して金属配線５００Ｒ１により、また、容量Ｃ２を介して金属配線５００Ｒ２により、信号増幅部４３３と接続されている。信号増幅部４３３からの電気信号のうち直流成分が容量Ｃ１及びＣ２によってカットされる。金属配線５００Ｒ１には、一端が電源電圧Ｖｄｄに接続された抵抗Ｒ１が接続されており、金属配線５００Ｒ２には、一端が電源電圧Ｖｄｄに接続された抵抗Ｒ２が接続されている。抵抗Ｒ１及びＲ２によって振動子１００Ｒに直流バイアスが加えられる。抵抗Ｒ１及びＲ２の各々の抵抗値は、信号増幅部４３３からの電気信号への影響を最小限とするため、振動子１００Ｒの入力インピーダンスに比較してはるかに大きい値である。
【００６９】
金属配線５００Ｒ１には、枝配線５５０Ｒが接続されている。図１２（ａ）に示されるように第１状態時には、枝配線５５０Ｒが、環状部３１０Ｒの内部に設けられた端子５４０Ｒに接触している。端子５４０Ｒは、抵抗Ｒ３を介して配線５６０によって制御部４３４のＡ／Ｄ（アナログ／デジタル）変換入力に接続されている。制御部４３４は、図２に示される信号供給部４３０に含まれる。配線５６０には、一端が接地電位Ｇｎｄに接続された抵抗Ｒ４及び容量Ｃ３が接続されている。抵抗Ｒ４及び容量Ｃ３によって、端子５４０からのアナログ信号が平滑化される。
【００７０】
図１２（ａ）に示されるように第１状態時には、枝配線５５０Ｒが端子５４０Ｒに接触するので、制御部４３４は抵抗Ｒ３を介してバイアス電圧を読み取り、振動板２０６Ｒが第１状態であることを検知する。また、図１２（ｂ）に示されるように第２状態時には、枝配線５５０Ｒが端子５４０Ｒに接触しないので、制御部４３４のＡ／Ｄ変換入力には、抵抗Ｒ４により０Ｖ（接地電位）が入力される。これにより、制御部４３４は振動板２０６Ｒが第２状態であることを検知する。このように、制御部４３４は、バイアス電圧が入力されたときには第１状態であると判別し、０Ｖ（接地電位）が入力されたときには第２状態であると判別する。
【００７１】
制御部４３４は、第１状態であると判別した場合には、音量を上げるように信号生成部４３２へ指示し、第２状態であると判別した場合には音量を下げるように信号生成部４３２へ指示する。第１状態時には、振動子１００Ｒが耳穴９１Ｒから頭部前方にずれた位置に存在するが、音量が比較的大きく設定されるので、音楽を十分な音量で聴くことができる。また、第２状態時には、振動子１００Ｒが耳穴９１Ｒの上部に存在するので比較的小さな音量でも十分であり、音量を比較的小さく設定することによって外部への音漏れを低減することができる。
【００７２】
制御部４３４は、音量の他にも例えば周波数特性の変更についても第１及び第２状態に応じて信号生成部４３２へ指示できる。制御部４３４は、音量や周波数特性についての例えば設定パラメータの値を信号生成部４３２へ与えることによって、音量や周波数特性の変更を指示する。左耳のための振動板２０６Ｌ、環状部３１０Ｌ及びこれらに付随する配線等の構成も上記した構成と同様である。なお、振動子１００Ｒ及び１００Ｌは、第１の実施例と同様に頭部には接触していない。
【００７３】
＜第４の実施例＞
図１３（ａ１）は、本実施例であるヘッドセット４における開状態時の図である。図１３（ａ２）は、開状態時における振動板２０８Ｒ及び蓋部３２０Ｒの斜視図である。図１３（ｂ１）は、図１３（ａ１）のヘッドセット４における閉状態時の図である。（ｂ２）は、閉状態時における振動板２０８Ｒ及び蓋部３２０Ｒの斜視図である。以下、第１乃至第３の実施例と異なる部分について主に説明する。
【００７４】
蓋部３２０Ｒは、連結部３００の一端に動かないように固定されている音漏れ防止部材である。ヘッドセット４を頭部に装着したときには、蓋部３２０Ｒが耳穴９１Ｒの上部を覆う。蓋部３２０Ｒは、基底部３２０ａＲと側壁３２０ｂＲとからなる。基底部３２０ａＲの形状は例えば図１３（ａ１）及び（ａ２）に示されるように扇形である。基底部３２０ａＲの扇形の一辺には、耳穴９１Ｒへ音を導くための側壁３２０ｂＲが形成されている。扇形の反対側の辺には側壁が形成されていない。基底部３２０ａＲには、開状態時に振動板２０８Ｒの突起部２０８ａＲを嵌め込むための切り欠き部３２０ｂＲが形成されている。
【００７５】
振動板２０８Ｒは、軸３０２Ｒを中心として回転自在に連結部３００の一端に取り付けられている。振動板２０８Ｒは、基底部２００ａＲと側壁２００ｂＲとからなる。基底部２００ａＲの形状は例えば図１３（ａ１）及び（ａ２）に示されるように、蓋部３２０Ｒの基底部３２０ａＲよりもやや小さい扇形である。側壁２００ｂＲは、基底部２００ａＲの扇形の一辺及び弧の部分に形成されている。扇形の反対側の辺には側壁が形成されていない。基底部２００ａＲの内面（側壁２００ｂＲが形成されている側の面）には振動子１００Ｒが固定されている。詳細には、振動子１００Ｒは、扇形の弧に近い位置に固定されており、開状態時と閉状態時とでその位置が異なる。基底部２００ａＲには、開状態時に蓋部３２０Ｒの切り欠き部３２０ｂＲに嵌め込む突起部２０８ａＲが形成されている。
【００７６】
振動板２０８Ｒが軸３０２Ｒを中心として回転することによって開状態又は閉状態となる。開状態時（図１３（ａ１）及び（ａ２））においては、蓋部３２０Ｒのみが耳穴９１Ｒの真横を覆っている。蓋部３２０Ｒの基底部３２０ａＲは、耳穴９１Ｒから一定距離隔てられている。振動板２０８Ｒ及び振動子１００Ｒは耳穴９１Ｒから頭部前方斜め下の位置に位置する。また、図１３（ａ２）に示されるように、振動板２０８Ｒの側壁２００ｂＲと蓋部３２０Ｒの側壁３２０ｂＲとは互いに接していない。かかる位置関係によれば、蓋部３２０Ｒ及び振動板２０８Ｒによって振動子１００Ｒの振動が耳穴９１Ｒへ導かれると共に、側壁３２０ｂＲと側壁２００ｂＲとの間に形成された隙間によって外部からの音を取り入れることができる。
【００７７】
振動板２０８Ｒを矢印８５の方向に回転させ、振動板２０８Ｒの突起部２０８ａＲを蓋部３２０Ｒの切り欠き部３２０ｂＲに嵌め込むことによって振動板２０８Ｒが閉状態の位置に固定される。閉状態時（図１３（ｂ１）及び（ｂ２））には、振動子１００Ｒは耳穴９１Ｒの真横に位置する。振動板２０８Ｒの基底部２００ａＲ及び振動子１００Ｒは、耳穴９１Ｒから一定距離隔てられている。また、図１３（ａ２）に示されるように、振動子１００Ｒ及び耳穴９１Ｒが、蓋部３２０Ｒの側壁３２０ｂＲ及び振動板２０８Ｒの側壁２００ｂＲによって囲まれているので、外部からの音を遮断して高音質で音楽を聞くことができると共に、外部への音漏れを防ぐことができる。
【００７８】
上記の説明は、右側の振動板２０８Ｒ及び蓋部３２０Ｒについての説明であるが、左側についても同様の構成である。また、上記した例は、振動板２０８Ｒが開状態及び閉状態の２つの位置の間で移動させた場合の例であるが、３以上の位置の間で移動可能としても良い。
【００７９】
＜第５の実施例＞
図１４（ａ）は、装着時に図３の振動板２００Ｒ及び２００Ｌが頭部側面９２Ｒ及び９２Ｌに対して傾くように構成されたヘッドセット５を頭部正面側から見た図である。図１４（ｂ）は、装着時に図３の振動板２００Ｒ及び２００Ｌが頭部側面９２Ｒ及び９２Ｌに対して傾くように構成されたヘッドセット６を頭部上側から見た図である。以下、第１乃至第４の実施例と異なる部分について主に説明する。
【００８０】
図１４（ａ）に示されるように、ヘッドセット５における振動板２００Ｌは、その基底部２００ａＬに平行な軸ｃ１−ｃ１が、装着時に地面に対して垂直な方向に伸長している連結部３００の伸長軸ｃ２−ｃ２に対して例えば４５度などの所定の角度ｃ３で交差するように、連結部３００に固定されている。
【００８１】
また、図１４（ｂ）に示されるように、ヘッドセット６における振動板２００Ｌは、その基底部２００ａＬに平行な軸ｃ４−ｃ４が、装着時に地面に対して水平な方向に伸長している連結部３００の伸長軸ｃ５−ｃ５に対して例えば４５度などの所定の角度ｃ６で交差するように、連結部３００に固定されている。
【００８２】
このように、ヘッドセット５及び６においては、装着時に振動子１００Ｌが耳穴９１Ｌの方向を向いている。それによって、振動子１００Ｌの振動が空気を媒体としてより直接的に耳穴９１Ｌに達するので、比較的低い音量且つ高音質で音楽を聴くことができる。なお、左側の振動板２００Ｒも同様に連結部３００に取り付けられ同様の効果を奏する。
【００８３】
＜第６の実施例＞
図１５は、本実施例であるヘッドセット７を表す図である。以下、第１の実施例と異なる部分について主に説明する。
【００８４】
ヘッドセット７においては、左右の振動板２００Ｒ及び２００Ｌは、それぞれ保持部３３０Ｒ及び３３０Ｌによって保持されている。つまり、第１の実施例とは異なり、振動板２００Ｒと２００Ｌとは互いに連結されておらず、保持部３３０Ｒの湾曲部３００ａＲ及び３３０Ｌの湾曲部３００ａＬの各々が使用者の耳（図示せず）へ掛けられることによって使用者の頭部（図示せず）に装着される。ヘッドセット７を使用者の頭部に装着したときには、保持部３３０Ｒは、図３（ａ）、（ｂ１）及び（ｂ２）に示されるように振動板２００Ｒを当該頭部の側面９２Ｒから所定距離隔てられた位置に保持する。保持部３３０Ｌも同様に装着時には振動板２００Ｌを頭部の左の側面から所定距離隔てられた位置に保持する。
【００８５】
このように、左右の振動板２００Ｒ及び２００Ｌは、必ずしも第１の実施例のように連結されている必要はなく、本実施例のヘッドセット７のように左右の保持部３３０Ｒ及び３３０Ｌによってそれぞれ保持される構成であっても良い。なお、常に左右の保持部３３０Ｒ及び３３０Ｌを頭部に装着する必要はない。すなわち、本実施例のように左右の保持部３３０Ｒ及び３３０Ｌが独立している構成であれば、右側の保持部３３０Ｒ（または左側の保持部３３０Ｌ）のみを耳に掛けて頭部に装着しても良い。
【００８６】
＜振動子の構成＞
図１６は、第１〜第５の実施例であるヘッドセット１乃至６の各々に含まれる振動子１００Ｒの断面を表す断面図である。図１７は、図１６の振動子１００Ｒの各部位を表す断面図である。振動子１００Ｒは、上側フレーム１０１と、可動支持体１０２と、ヨーク１０３と、マグネット１０４と、錘１０５と、コイル１０６と、下側フレーム１０７と、振動子振動板１０８と、を含んで構成されている。
【００８７】
上側フレーム１０１は、例えば皿型の形状であり、下側フレーム１０７と結合してマグネット１０４その他の部材を収容するための空間を有する例えばプラスチックなどの材料からなるケース部材である。上側フレーム１０１の中央には、マグネット１０４の動きをある程度制限するための開口部１０１ａが設けられている。開口部１０１ａを設けることにより、スピーカーボックスのエアーダクトと同じ効果が得られ、音質を向上させることができる。また、上側フレーム１０１には、可動支持体１０２を固定するための複数個の取付け部１０１ｂが、例えば上側フレーム１０１の外周に沿って等間隔に設けられている。
【００８８】
下側フレーム１０７も皿型の形状であり、上側フレーム１０１と結合してマグネット１０４その他の部材を収容するための空間を有する例えばプラスチックなどの材料からなるケース部材である。下側フレーム１０７の中央には開口部１０７ａが設けられており、更に開口部１０７ａを取り囲むようにリング状の突起部１０７ｂが設けられている。突起部１０１ｂの内側には、振動子振動板１０８が嵌め込まれ、下側フレーム１０７の開口部１０７ａを塞いでいる。
【００８９】
以下、上側フレーム１０１と下側フレーム１０７とが接着剤又は嵌め込み機構などの機械的機構により結合されてなるフレーム全体を単にフレーム１０９と称する。下側フレーム１０７は、その開口部１０７ａから皿型形状の縁部１０７ｃへかけて湾曲している。下側フレーム１０７の外形が湾曲していることにより、どのような頭部形状に対しても安定して接触することができる。また、図３（ｂ１）に示されるように、振動子１００Ｒ（下側フレーム１０７の側）が頭部に接触しないようにしても良い。なお、フレーム１０９の厚さに制約は無く製品仕様に合わせて適宜設定すれば良。また、フレーム１０９の外側には装飾その他の構造を適宜設けても良い。
【００９０】
可動支持体１０２は、ヨーク１０３を上側フレーム１０１に連結して固定するための支持体であり、例えば銅などの金属板をプレスにより打ち抜きして形成されたダンパーである。可動支持体１０２は、その中央部分にヨーク１０３を嵌め込むことができるような例えば環状形構造を有しており、更に当該環状形構造から外側に向かって伸びた位置に複数個の固定部１０２ａが例えば等間隔に設けられている。固定部１０２ａの各々が固定ピン乃至ネジ１１０により上側フレーム１０１の取付け部１０１ｂに固定される。可動支持体１０２に固定されたヨーク１０３は、可動支持体１０２の撓みによって上側フレーム１０１又は下側フレーム１０７の方向に上下動し得る。特に可動支持体１０２の環状形構造から外側に向かって伸びた位置に固定部１０２ａを設けて、上側フレーム１０１の取付け部１０１ｂに固定することにより、音響特性を向上させることができる。
【００９１】
ヨーク１０３は、有底円筒形状（いわゆるポット型）の例えば軟鉄などの磁性金属材料からなるヨーク（継鉄）であり、その底部１０３ｂの存する側を上側フレーム１０１の側に向けて可動支持体１０２の環状部分に嵌め込まれることによりフレーム１０９の空間内に支持されている。ヨーク１０３の側面には、リング状の突起部１０３ａが設けられており、この突起部１０３ａが可動支持体１０２に接着されて固定されている。ヨーク１０３の側面における突起部１０３ａの位置に制約は無く、フレーム１０９の形状等に合わせて適宜設定可能である。ヨーク１０３の底部１０３ｂは、マグネット１０４を貼り付けられるように平らになっている。
【００９２】
マグネット１０４は、所定の磁性を有する円柱形状の永久磁石である。マグネット１０４の一方の面がヨーク１０３の底部１０３ｂのほぼ中央に接着剤によって固定されている。マグネット１０４の直径はヨーク１０３の底部１０３ｂの直径よりも小さく、固定されたマグネット１０４の側面とヨーク１０３の側壁との間にはリング状の空間が存在する。ヨーク１０３の底部１０３ｂに固定させる面はマグネット１０４のＳ極側、Ｎ極側の何れでも良く、例えばマグネット１０４のＳ極側の面をヨーク１０３の底部１０３ｂに固定させる。
【００９３】
錘１０５は、マグネット１０４の直径とほぼ同径の円柱形状の錘であり、その一方の面がマグネット１０４の他方の面に接着剤により貼り合わされている。錘１０５は、例えば酸化鉄、酸化クロム、コバルト又はフェライトなどの磁性体である。通常、錘１０５の直径は、マグネット１０４の直径と同一であるが、必要に応じて比較的大きく又は小さくしても良い。
【００９４】
錘１０５の大きさ（又は質量）を変えることによって、マグネット１０４の実質的な質量を変えることができる。例えば錘１０５の円柱軸方向の厚さを厚くする又は薄くすることにより質量を変更することができる。マグネット１０４の実質的な質量を変えれば、振動の周波数特性や音質が変わる。つまり、製品種別毎に錘１０５の大きさ（又は質量）を変えることにより、周波数特性や音質を容易に変更することができる。なお、少なくとも１つの別の錘を錘１０５に更に貼り付けることによって質量を変えても良い。
【００９５】
コイル１０６は、例えば図１に示される如く一端がマグネット１０４及び錘１０５の側面の少なくとも一部を取り巻き且つ他端が振動子振動板１０８に固定された円筒形状のいわゆるボイスコイルである。コイル１０６は、所定のインダクタンスを得るために、例えばプラスチックやアルミニウムなどの材料からなる円筒形状のボビン１０６ｂの少なくとも一部に、例えば銅線などの電線を所定の巻き数だけ巻き付けたものである。以下、当該一部を巻付け部１０６ａと称する。なお、ボビンに巻きつけられた電線を樹脂で包埋して固定する等の処理を適宜施しても良い。
【００９６】
巻付け部１０６ａは、例えば図１及び図３に示される如くボビン１０６ｂのマグネット１０４側の端部に位置し、その少なくとも一部はマグネット１０４及び錘１０５の側面とヨーク１０３の側壁との間に形成されたリング状の空間に沿って位置している。また、巻付け部１０６ａの反対側の端部（以下、固定部１０６ｃと称する）が、振動子振動板１０８に固定されている。固定部１０６ｃは、固定部１０６ｃ及び振動子振動板１０８の各々に設けられた例えば嵌め込み機構又は噛み合わせ機構などの機械的機構（図示せず）により振動子振動板１０８に固定されている。
【００９７】
マグネット１０４及び錘１０５の円柱軸方向の厚さは、所望の周波数特性や音質を得るために適宜調整されるので、巻付け部１０６ａが錘１０５の側面の一部のみを取り巻くように位置する場合もあるし、マグネット１０４の側面の少なくとも一部と錘１０５の側面の全部とを取り巻くように位置する場合もある。磁界の作用を効果的に得るという観点からは、ヨーク１０３の側壁の高さｈ１を、マグネット１０４の円柱軸方向の厚さｄ１と錘１０５の円柱軸方向の厚さｄ２との和よりも大きくするのが好ましい。
【００９８】
コイル１０６には、例えば上側フレーム１０１に設けられた通穴（図示せず）を介して図示せぬ配線コードが接続されており、当該配線コードを介してコイル１０６に給電されると、マグネット１０４とコイル１０６との間に発生した磁界の作用により、所定の周波数にてマグネット１０４及びコイル１０６が振動する。
【００９９】
振動子振動板１０８は、円筒形状であるコイル１０６の直径よりもやや大きい直径を有する例えば円形状のプラスチックやアルミニウムなどの材料からなる振動板であり、下側フレーム１０７の開口部１０７ａを取り囲むようにリング状に設けられた突起部１０１ｂの内側に嵌め込まれている。振動子振動板１０８の一方の面にはコイル１０６の巻付け部１０６ａが固定されている。振動子振動板１０８の厚さは、その材質などの条件に応じて適宜定められる。
【０１００】
振動子１００Ｒは、上側フレーム１０１の側が振動板２００Ｒと対向するように例えば接着剤により振動板２００Ｒに固定される。振動子１００Ｌも振動子１００Ｒと同様の構成であり、振動板２００Ｌに同様に固定される。
【０１０１】
例えば音楽等の音に対応する振動を発生させるための電流が図示せぬ配線コードからコイル１０６に供給されると、マグネット１０４とコイル１０６との間に発生する磁界の作用により、その電流量とマグネット１０４及び錘１０５の総質量とに応じた周波数にてマグネット１０４及びコイル１０６が振動する。ヨーク１０３の底部１０３ｂに固定されているマグネット１０４は、可動支持体１０２の足部分１０２ｂの撓みによって主にその円柱軸方向に沿って振動する。コイル１０６は、主にその円筒軸方向に沿って振動し、その振動は固定部１０６ｃによりコイル１０６と固定されている振動子振動板１０８に伝達される。また、これらの振動は、振動子１００Ｒが固定されている振動板２００Ｒにも伝達される。振動子１００Ｒの振動は、空気を媒体として振動子振動板１０８及び振動板２００Ｒから耳穴９１へ伝達される。
【０１０２】
振動子１００Ｒは、コイル側に振動板を設けて、コイル側を頭部に向けて使用する構造としたものである。また、振動子１００Ｒは、マグネットが固定されたヨーク１０３を可動支持体１０２を介してフレームに固定した構造を有する。かかる構造とすることにより、振動子１００Ｒは、小型でありながら広い周波数帯域に亘ってほぼ均一に振動することができる。それゆえ、低音域から高音域までの広い帯域に亘って高音質の再生が可能である。
【０１０３】
マグネットの片面（コイルが配置されている側の面）に錘を貼り付けることができるようになった。製品種別毎にその錘の大きさや質量を変えることにより、マグネットの実質的な質量を変更し、その製品に対して求められる所望の周波数特性や音質を簡単に調整でき、大幅なコスト削減を実現できる。
【０１０４】
また、かかる本願発明の構造とすることにより、ポット形状のヨークの側壁の高さと、円柱形状のマグネット及びそれに貼り付けられた錘の厚さとの関係についても自在に設定できるようになった。磁界の作用を効果的に得る観点からは、ヨークの側壁の高さがマグネットの厚さと錘の厚さとの和よりも大きいのが望ましい。
【符号の説明】
【０１０５】
１〜７  ヘッドセット
１００Ｒ、１００Ｌ  振動子
２００Ｒ、２００Ｌ  振動板
２００ａＲ  基底部
２００ｂＲ  側壁
３００  連結部（保持部）
３００ａＲ、３００ａＬ  湾曲部
３３０Ｒ、３３０Ｌ  保持部
４００Ｒ、４００Ｌ  制御部
４１０  電源部
４２０  記憶部
４３０  信号供給部
４３１  データ取得部
４３２  信号生成部
４３３  信号増幅部
５００Ｒ１、５００Ｒ２、５００Ｌ１、５００Ｌ２  金属配線
９０Ｒ  右の耳
９１Ｒ  右の耳穴
９２Ｒ  右の頭部の側面
【図１】
2011135542.tif 000003
【図２】
2011135542.tif 000004
【図３】
2011135542.tif 000005
【図４】
2011135542.tif 000006
【図５】
2011135542.tif 000007
【図６】
2011135542.tif 000008
【図７】
2011135542.tif 000009
【図８】
2011135542.tif 000010
【図９】
2011135542.tif 000011
【図１０】
2011135542.tif 000012
【図１１】
2011135542.tif 000013
【図１２】
2011135542.tif 000014
【図１３】
2011135542.tif 000015
【図１４】
2011135542.tif 000016
【図１５】
2011135542.tif 000017
【図１６】
2011135542.tif 000018
【図１７】
2011135542.tif 000019